(57)【特許請求の範囲】
【請求項１】
操作レバーの容器本体内容物放出用の縦回動操作と連動するノズルへの横回動操作により、当該操作レバーに対する横平面内での内容物放出方向が変更される機能を備えた内容物放出方向変更機構において、
前記ノズルは、
外部空間域への内容物の流出口を備え、
前記操作レバーは、
前記ノズルに対する前後方向の開口部を備えて、静止モード位置から、内容物放出操作の下方および、これとは逆で前記内容物放出方向の変更機能を実現するための上方のそれぞれに縦回動でき、
前記開口部は、
前記ノズルが当該開口部に入り込んだ前方向放出静止モードにおいては前記横回動操作を阻止する横幅からなり、かつ、
前記操作レバーが当該前方向放出静止モードの位置から前記上方に縦回動するときに当該ノズルの流出口側端部を通過する位置の最前端部分を備えている、
ことを特徴とする内容物放出方向変更機構。
【請求項２】
前記操作レバーは、
前記上方への縦回動位置から静止モード位置へと復帰する際、前記横回動操作により前記開口部から離脱する状態に設定済みの前記ノズルに当接して、これを位置決めするための係合作用部を備えている、
ことを特徴とする請求項１記載の内容物放出方向変更機構。
【請求項３】
前記ノズルは、
前記開口部に入り込んだ前方向放出静止モードのときに前記係合作用部と当接する被係合作用部を備えている、
ことを特徴とする請求項２記載の内容物放出方向変更機構。
【請求項４】
前記係合作用部は、
前記ノズルの上側外面形状に対応した態様で前記操作レバーの下縁部分に形成された切欠状部であり、
前記被係合作用部は、
前記ノズルの外面に形成された凸状部である、
ことを特徴とする請求項３記載の内容物放出方向変更機構。
【請求項５】
請求項１乃至請求項４のいずれかに記載の内容物放出方向変更機構を備え、かつ、内容物を収容した、
ことを特徴とするポンプ式製品。
【請求項６】
請求項１乃至請求項４のいずれかに記載の内容物放出方向変更機構を備え、かつ、噴射剤および内容物を収容した、
ことを特徴とするエアゾール式製品。
【発明の詳細な説明】
【技術分野】
【０００１】
本発明は、ポンプ式製品およびエアゾール式製品に用いられる内容物放出方向変更機構であって、操作レバー（トリガーレバー）の内容物放出用の縦回動操作と連動するノズルに対しての、内容物放出方向変更用の横回動操作を行えるようにしたものに関する。
【０００２】
特に、縦回動タイプの操作レバーの前後方向に形成されて、その中における内容物放出用のノズルの横回動を規制する開口部を、当該操作レバーが、前方向放出静止モード位置から通常の内容物放出用の縦回動操作とは逆方向に当該内容物放出部を通過してその上方位置まで移動（縦回動）できる形に、設定した内容物放出方向変更機構である。
【０００３】
すなわち、前方向放出静止モード位置の操作レバーの内容物放出方向を変更する場合、先ず当該操作レバーを上方に縦回動させてそれが内容物放出用のノズルの上方に位置する状態に設定し、その後、当該ノズルを操作レバーに対して横回動操作することにより内容物放出方向を基準の前方向から左右方向などに変化させるようにした、内容物放出方向変更機構に関する。
【０００４】
なお、内容物放出用のノズルの横回動操作終了後は、上方位置にある操作レバーに対しての下方への縦回動操作により、当該操作レバーと当該ノズルとが当接する左右いずれかの横方向静止モード位置に移行させる。
【０００５】
本明細書において、
(11)図示の操作レバーの縦回動中心側を「後」、それとは逆のノズル基準状態（＝内容物放出用のノズルが操作レバーの開口部に入り込んだ状態）における流出口側を「前」とし、すなわち図１〜図７それぞれの左側を「前」、右側を「後」とし、
(12)この「前」，「後」に対する横方向側を「左右」とし、すなわち図５の上下側を「左右」とし、
(13)容器上下方向に仮想設定される平面を「縦平面」とし、
(14)「左−前−右」方向に仮想設定される平面を「横平面」とし、
(15)縦平面内における操作レバーの回動，回動操作のそれぞれを「縦回動」，「縦回動操作」と記載し、
(16)横平面内におけるノズルなどの回動，回動操作のそれぞれを「横回動」，「横回動操作」と記載する。
【０００６】
ここで後述の操作レバー１に対する内容物放出動作用の上下方向への回動操作が「縦回動操作」に相当する。
【０００７】
また、Ｌ字状ノズル６に対する放出方向変更用の左右方向への回動操作および、ロック部材７に対する操作レバー縦回動操作（Ｌ字状ノズル６の静止モード位置から下方向への移動）の許容・阻止用の左右方向への回動操作などが「横回動操作」に相当する。
【背景技術】
【０００８】
従来、縦回動タイプの操作レバー（トリガーレバー）に対するノズルの内容物放出方向を基準の前方向から任意の左右方向に設定できる内容物放出方向変更機構が提案されている（後述の特許文献１参照）。
【０００９】
この内容物放出方向変更機構は、トリガーレバーの内容物放出用の縦回動操作と連動するＬ字状ノズルを常に横回動操作可能な形で、トリガーレバーの上方に配している。
【００１０】
このように常時トリガーレバーの上方にいわば飛び出ているＬ字状ノズルの横回動操作により、当該Ｌ字状ノズルからの内容物放出方向が基準の「前」から「左右」の任意の横方向へと設定可能である。
【先行技術文献】
【特許文献】
【００１１】
【特許文献１】特開２００２−３７３０１号公報
【発明の概要】
【発明が解決しようとする課題】
【００１２】
このように、従来の、トリガーレバーの内容物放出操作（縦回動操作）と連動するＬ字状ノズルの内容物流出口の向きをその基準の「前」から左右に変更できる内容物放出方向変更機構の場合、当該Ｌ字状ノズルがトリガーレバーの上方に設けられている。
【００１３】
そして、このＬ字状ノズルの横回動操作は、トリガーレバーの静止モード位置，縦回動状態にかかわらず当該トリガーレバーによって何ら規制されない。
【００１４】
そのため、例えば利用者が静止モード位置のトリガーレバーの縦回動操作をおこなうに際してＬ字状ノズルの下流側横部分（水平部分）が何らかにあたるなどした場合には、Ｌ字状ノズル自体がその横回動操作時と同じように不用意に横回動してしまい、本来の方向からずれた状態での内容物放出動作、すなわち誤動作を生じやすいという問題点があった。
【００１５】
また、Ｌ字状ノズルは基準の前方向にも何らロックされずに、常に横回動可能となっているため、当該Ｌ字状ノズルを搭載した複数の例えばポンプ式製品を陳列したり、輸送したりするときなどに、Ｌ字状ノズル全体の向きを容器本体正面側へ継続的に統一することが難しいという問題点があった。
【００１６】
また、Ｌ字状ノズルがトリガーレバーから上方に飛び出る形で設定されているため、これとは異なる汎用タイプ、すなわちＬ字状ノズルがその少なくとも上下方向にはトリガーレバーの開口部にいわば収まっている内容物放出機構を持つ同種のポンプ式製品などに比べて、製品全体の高さも大きく、当該製品の陳列や輸送に際してのスペース効率が悪いという問題点があった。
【００１７】
本発明は、このような従来の内容物放出方向変更機構とは異なり、内容物放出用ノズルの横回動がその基準状態（＝前方向放出静止モード）のときにトリガーレバーの開口部で阻止されるタイプの内容物放出機構を前提とし、当該開口部の前端側を積極的に延ばしたものである。
【００１８】
すなわち、トリガーレバーを内容物放出操作とは逆の上方に縦回動させた場合に当該トリガーレバーの開口部が内容物放出用ノズルの前端部分を通過できるように、当該開口部の前端側を延ばしたものである。
【００１９】
本発明はこれにより、前方向放出静止モードにおいてトリガーレバーの開口部で横回動操作が阻止されている内容物放出用ノズルに対し、その基準の前方向から左右方向への横回動操作を、利用者の、通常の内容物放出操作とは逆方向への意識的なトリガーレバー縦回動操作の下で可能とし、
(21)本来の放出予定方向からずれた状態での不用意な内容物放出動作が行なわれるのを防止し、
(22)本件機構を搭載した複数製品の陳列，輸送などにおける内容物放出部全体の向きの統一性を継続的に担保し、
(23)本件機構を搭載した製品の高さの増加を抑えて当該複数製品の陳列，輸送などにおけるスペース効率の低減を阻止する、
ことを目的とする。
【課題を解決するための手段】
【００２０】
本発明は、以上の課題を次のようにして解決する。
（１）操作レバー（例えば後述の操作レバー１）の容器本体内容物放出用の縦回動操作と連動するノズル（例えば後述のＬ字状ノズル６）への横回動操作により、当該操作レバーに対する横平面内での内容物放出方向が変更される機能を備えた内容物放出方向変更機構において、
前記ノズルは、
外部空間域への内容物の流出口（例えば後述の流出口６ｂ）を備え、
前記操作レバーは、
前記ノズルに対する前後方向の開口部（例えば後述の開口部１ｃ）を備えて、静止モード位置から、内容物放出操作の下方および、これとは逆で前記内容物放出方向の変更機能を実現するための上方のそれぞれに縦回動でき、
前記開口部は、
前記ノズルが当該開口部に入り込んだ前方向放出静止モードにおいては前記横回動操作を阻止する横幅（例えば後述の横幅ｗ１）からなり、かつ、
前記操作レバーが当該前方向放出静止モードの位置から前記上方に縦回動するときに当該ノズルの流出口側端部を通過する位置の最前端部分（例えば後述の最前端部分１ｄ）を備える。
（２）上記（１）において、
前記操作レバーは、
前記上方への縦回動位置から静止モード位置へと復帰する際、前記横回動操作により前記開口部から離脱した状態に設定済みの前記ノズルに当接して、これを位置決めするための係合作用部（例えば後述の切欠状部１ｆ）を備える。
（３）上記（２）において、
前記ノズルは、
前記開口部に入り込んだ前方向放出静止モードのときに前記係合作用部と当接する被係合作用部（例えば後述の横向き円柱状部６ｃ）を備える。
（４）上記（３）において、
前記係合作用部は、
前記ノズルの上側外面形状に対応した態様で前記操作レバーの下縁部分に形成された切欠状部であり、
前記被係合作用部は、
前記ノズルの外面に形成された凸状部である。
【００２１】
このような構成からなる内容物放出方向変更機構および、当該内容物放出方向変更機構を備えたポンプ式製品やエアゾール式製品を本発明の対象としている。
【発明の効果】
【００２２】
本発明は以上の課題解決手段により、
(31)本来の放出予定方向からずれた状態での不用意な内容物放出動作が行なわれるのを防止し、
(32)本件機構を搭載した複数製品の陳列，輸送などにおける内容物放出部全体の向きの統一性を継続的に担保し、
(33)本件機構を搭載した製品の高さの増加を抑えて当該複数製品の陳列，輸送などにおけるスペース効率の低減を阻止する、
ことができる。
【図面の簡単な説明】
【００２３】
【図１】内容物放出方向変更機構の前方向放出静止モードを示す説明図である。
【図２】図１の内容物放出方向変更機構の操作レバーの内容物放出用縦回動操作をおこなった状態を示す説明図である。
【図３】図２の内容物放出用縦回動操作を解除した状態を示す説明図である。
【図４】図１の内容物放出方向変更機構（前方向放出静止モード）の操作レバーを上方に縦回動させている状態（Ｌ字状ノズルの横回動操作により内容物放出方向を変更するための初期操作段階）を示す説明図である。
【図５】操作レバーの開口部とＬ字状ノズルの横筒状部との形状関係を示す平面図である。
【図６】図４の内容物放出方向変更用の初期操作の操作完了後（操作レバーの上方への縦回動操作完了後）にＬ字状ノズルを左方向に横回動操作した後の状態を示す説明図である。
【図７】図６の操作レバーをそれがＬ字状ノズルの横筒状部に当接する位置（左方向放出静止モードの位置）まで下方に縦回動させた状態を示す説明図である。
【発明を実施するための形態】
【００２４】
本発明は、内容物放出用ノズルの横回動がトリガーレバーの開口部で阻止されるタイプの内容物放出機構を前提として当該開口部の前端側を積極的に延ばしたものである。
【００２５】
そして、トリガーレバーをその静止モード位置から上方に縦回動操作するときにこのトリガーレバー開口部が内容物放出用ノズルを通過してその上方へと移動し、これにより当該内容物放出用ノズルに対する内容物放出方向変更用の横回動操作を可能にした、ことを基本的骨子とするものである。
【００２６】
すなわち、本発明は、トリガーレバーの開口部と、この開口部によって前方向放出静止モードにおける横回動操作が規制される内容物放出用ノズルと、のもっぱら内容物流出側部分を対象とするものであって、勿論、ポンプ式作用に基づく内容物放出機構およびエアゾールバルブ作用に基づく内容物放出機構のいずれにも適用可能である。
【００２７】
以下の図１〜図７を用いた説明では、単なる説明の便宜上、ポンプ式製品を対象とした内容物放出方向変更機構の実施形態を説明する。
【００２８】
図１〜図７で用いるアルファベット付き参照番号の構成要素（例えば斜め操作部１ａ）は原則として、当該参照番号の数字部分の構成要素（例えば操作レバー１）の一部であることを示している。
【００２９】
図１〜図７において、
Ａは次回放出対象内容物のハウジング内の貯留空間域，
Ｂは内容物放出操作にともなう内容物吐出弁の作用により設定される貯留空間域Ａから外部空間域への内容物放出経路（図２参照），
Ｃは内容物放出操作解除にともなう内容物吸込弁の作用により設定される容器本体内部から貯留空間域Ａへの内容物流入経路（図３参照），
Ｄは内容物放出操作解除にともなう外気吸込弁の作用により設定される外部空間域から容器本体内部への減圧防止用の外気流入経路（図３参照），
Ｅは内容物放出状態を設定する際の操作レバーの下方（後方）への縦回動操作方向（図２参照），
Ｆは最初の静止モード位置（図１参照）へ戻る際の操作レバーの上方（前方）への縦回動復帰方向（図３参照），
Ｇは後述のＬ字状ノズル６の操作レバーに対する横平面内での内容物放出方向を変化させる際の、初期操作段階としての操作レバー上方への縦回動操作方向（図４参照），
ｗ１は操作レバーに形成した後述の開口部１ｃの横幅（図５参照），
ｗ２は後述のＬ字状ノズル６を構成する横筒状部６ａの横幅（図５参照），
をそれぞれ示している。
【００３０】
また、
１は内容物放出操作用の縦回動タイプの操作レバー，
１ａは引き金式縦回動操作の対象となる斜め操作部（面部分），
１ｂは当該斜め操作部の上端から後方に続く天井部（面部分），
１ｃは斜め操作部１ａから天井部１ｂまでにわたって連続態様で部分的に形成された前後方向の開口部，
１ｄは当該開口部の最前端部分（最下端部分），
１ｅは斜め操作部１ａおよび天井部１ｂの左右両端から垂下する態様で形成された一対の側部，
１ｆは当該側部のそれぞれに、後述のＬ字状ノズル６の横筒状部６ａまたは横向き円柱状部６ｃと係合する位置・輪郭態様で形成された切欠状部，
１ｇは側部１ｅのそれぞれの後端部分に形成された縦回動中心用の一対の孔部，
１ｈは当該操作レバーの上方への縦回動限界を設定するための天井部後端部分，
をそれぞれ示している。
【００３１】
また、
２は操作レバー１をその縦回動操作が可能な態様で保持する操作レバー取付け部，
２ａは操作レバー１の取付け対象であるアーム部，
２ｂは当該アーム部の上端側の対向部分に孔部１ｇのそれぞれに対応する形で設定されて、操作レバー１の縦回動中心軸として作用する一対の凸状部，
２ｃは操作レバー１の上方への縦回動限界を設定するためのアーム部２ａの上端面，
２ｄは後述のハウジング３に嵌合保持される筒状基部，
２ｅは当該筒状基部の底面側に形成された嵌合保持用の上向き環溝状部，
２ｆは後述のロック部材７を横回動操作が可能な態様で保持するための上筒状部，
２ｇは当該上筒状部の前下端側内周面の一部分に形成されて、ロック部材７の横回動操作の範囲を略１８０度に規制するための内向き凸状部，
をそれぞれ示している。
【００３２】
また、
３は操作レバー取付け部２を嵌合保持して、自らの内部空間に次回放出対象内容物の貯留空間域Ａが設定されるハウジング，
３ａは当該ハウジングの上側に形成された環鍔状部，
３ｂは当該環鍔状部の上面に形成されて、上向き環溝状部２ｅとの嵌合作用により操作レバー取付け部２を保持する起立筒状部，
３ｃは当該ハウジングの周面上側部分に形成されて減圧防止用の外気が流入する孔部，
３ｄは当該ハウジングの内周面下側部分に形成されて、後述のボール弁１２を受ける環状受け部（吸込弁作用部），
をそれぞれ示している。
【００３３】
また、
４はハウジング３の内部に上下方向に移動可能な形で配設されて、吐出弁の作用を呈するステム，
４ａは当該ステムの外周面下側部分に形成されて、後述の下筒状部材８とともに吐出弁を構成する環凹状部，
５はステム４の外周面上部分に嵌合保持された内容物通過用の上筒状部材，
５ａは当該上筒状部材の内周面中間部分の上下方向およびこれの上側に続く環天井部分の径方向に連続する態様で複数形成された内容物通過用の溝状部，
をそれぞれ示している。
【００３４】
また、
６は筒状基部２ｄの内周面と上筒状部材５の外周面とのそれぞれに当接する形で取り付けられて、横平面内で横回動可能な内容物放出用のＬ字状ノズル，
６ａは当該Ｌ字状ノズルの略水平状態の横筒状部，
６ｂは当該横筒状部の前端に形成された内容物放出用の流出口，
６ｃは当該横筒状部の後端部分左右両側の同じ高さの外周面にこれと略直交する外向き態様でそれぞれ形成されて、当該横筒状部が前向き状態のとき、操作レバー１の切欠状部１ｆと当接する横向き円柱状部，
６ｄは当該横向き円柱状部の真下に続く外周面部分に形成されて、後述のロック部材７との協働作用により当該Ｌ字状ノズルの静止モード位置から下方への移動を阻止する上下方向凸状部，
をそれぞれ示している。
【００３５】
また、
７は筒状部からなり、その下側部分が、操作レバー取付け部２の上筒状部２ｆとＬ字状ノズル６の上下方向部分内周面との間の環状空間域に入り込んで、全体として横回動可能な形に設定され、その横回動位置によりＬ字状ノズル６の下動（放出状態への移動）を選択的に許容，阻止するロック部材，
７ａは当該ロック部材の横回動操作を行うための摘み片部，
７ｂは当該ロック部材の筒状部下端側の当該摘み片部とは反対側の周方向部分に形成されて、操作レバー取付け部２の内向き凸状部２ｇとの協働作用により当該ロック部材の横回動操作の範囲を略１８０度に規制するための下向き凸状部，
７ｃは当該ロック部材の摘み片部７ａの真裏側内周面と、それから周方向に略１８０度離れた対向内周面とに形成されて、Ｌ字状ノズル６の操作の上下方向凸状部６ｄの上下動を許容する一対の上下方向凹状部，
７ｄは当該上下方向凹状部以外の周方向内面に形成されて、上下方向凸状部６ｄの上下動を阻止する一対の周方向凸状部，
をそれぞれ示している。
【００３６】
また、
８はハウジング内部空間域におけるステム４と上筒状部材５との間に上下動可能な態様で配設されて、貯留空間域Ａのシール作用およびステム４との間の吐出弁作用などを呈する下筒状部材，
８ａは上筒状部材５の内周面に密接する逆スカート部，
８ｂは当該逆スカート部の下側に連続形成されて、ステム４の環凹状部４ａとともに吐出弁を構成する環凸状部，
８ｃはハウジング３の内周面に密接するスカート部，
８ｄは当該スカート部の上側に連続形成されて、その上端部分が後述の環状弁部材１１と接離する弁作用筒状部（容器本体減圧防止用の外気供給弁），
をそれぞれ示している。
【００３７】
また、
９は後述の各種内容物が収容された容器本体，
９ａは外周面に螺子部分が形成された筒状首部，
１０は操作レバー取付け部２とハウジング３との間に配設されて、容器本体と螺子結合するネジキャップ，
１１は操作レバー取付け部２とハウジング３との間に挟持されて、内容物放出操作の終了段階で下筒状部材８とともに容器本体９の減圧防止用の外気供給弁として作用する環状弁部材，
をそれぞれ示している。
【００３８】
また、
１２はハウジング３の環状受け部３ｄとの協働作用により吸込弁を構成するボール弁，
１３はステム４を上方向に付勢し、かつ、ボール弁１２の上動を規制する機能を備えたコイルスプリング，
１４は環鍔状部３ａのいわば直下のハウジング外周面部分に係合保持された状態で容器本体９（筒状首部９ａ）の上端面部分と密接して、当該容器本体の内部空間域のシール作用を呈する環状シール部材，
１５はハウジング３の下端側筒状部に取り付けられて、容器本体９の内容物を貯留空間域Ａに流入させるためのチューブ，
をそれぞれ示している。
【００３９】
ここで例えば、操作レバー１，操作レバー取付け部２，ハウジング３，ステム４，上筒状部材５，Ｌ字状ノズル６，ロック部材７，下筒状部材８，ネジキャップ１０およびチューブ１５は、ポリプロピレン，ポリエチレン，ポリアセタール，ナイロン，ポリブチレンテレフタレートなどからなるプラスチック製のものを用いる。
【００４０】
また、容器本体９およびボール弁１２は金属製，プラスチック製，ガラス製のものを用い、環状弁部材１１および環状シール部材１４はゴム製，プラスチック製のものを用い、コイルスプリング１３は金属製，プラスチック製のものを用いる。
【００４１】
図示の内容物放出方向変更機構の基本的特徴は、
(41)前方向放出静止モード位置（図１参照）の操作レバー１に対する上方への縦回動操作により、その斜め操作部１ａがＬ字状ノズル６の横筒状部６ａの上方へ移動できるように（図４参照）、当該操作レバーの開口部１ｃを形成し（図５参照）、
(42)この操作レバー１の上方移動状態で、Ｌ字状ノズル６の横筒状部６ａに対する利用者の横回動操作を可能とし（図６参照）、
(43)この横回動操作によりＬ字状ノズル６を操作レバー１の縦回動操作面（縦平面）と例えば略直交する状態に横回動させてから、当該操作レバーを下方へ縦回動操作することにより、流出口６ｂの向きがそれまでの「前」から「左右の一方」へと変化した状態の左・右方向放出静止モードを設定できる（図７参照）、
ことである。
【００４２】
上記(41)で述べた開口部１ｃは図５などで示すように、略同一の横幅で、その長手方向（前後方向）にＬ字状の形で延びる開口部である。
【００４３】
開口部１ｃの横幅ｗ１はＬ字状ノズル６の横筒状部６ａの横幅ｗ２よりもわずかだけ長く、また当該開口部の最前端部分１ｄは、操作レバー１の前方向放出静止モード位置から上方への縦回動操作の際に横筒状部６ａの流出口６ｂの前方を通過して当該横筒状部の上側へと移動できる部分に形成されている。
【００４４】
上記(42)の横回動操作により、内容物の放出方向が、基準の「前方向」以外の「左右方向」にも設定される。
【００４５】
これにより、例えば身体の左右部分（頭側部など）などへの内容物放出作業においても、操作レバー１の斜め操作部１ａを、基準の前方向放出のときと同様に後方へ縦回動操作すればよい。
【００４６】
なお、図示の実施形態では基準の「前方向」以外の内容物放出方向として、操作レバー１の縦回動操作に対応した縦平面と直交する「左右方向」を示しているが、これは一例にすぎない。
【００４７】
すなわち操作レバー１の上方移行状態で、流出口６ｂからの内容物放出方向を当該縦平面に対する「斜め方向」に設定した上で、当該操作レバーを下方（縦方向）の静止モード位置へと復帰させるようにしてもよい。
【００４８】
上述の「前方向」，「左右方向」および「斜め方向」のいずれの場合にも、静止モード位置の操作レバー１の斜め操作部１ａを通常のように後方へ縦回動操作することにより、Ｌ字状ノズル６が下方向へと駆動されて内容物放出状態へと移行する。
【００４９】
ここで、操作レバー１およびＬ字状ノズル６における下方向駆動力の伝達・被伝達部分は、
(51)Ｌ字状ノズル６の流出口６ｂの向きが上記「前方向」の場合、切欠状部１ｆおよび横向き円柱状部６ｃの上端側外周面であり、
(52)Ｌ字状ノズル６の流出口６ｂの向きが上記「左右方向」の場合、切欠状部１ｆおよび横筒状部６ａの上側外周面であり、
(53)Ｌ字状ノズル６の流出口６ｂの向きが上記「斜め方向」の場合、一方の側部１ｅの下面および横筒状部６ａの上端側外周面である。
【００５０】
なお、上記(53)の「斜め方向」における側部１ｅと横筒状部６ａとの当接位置を決定するための係合部を、これら側部の下面および横筒状部の上端側外周面の一方または双方に形成してもよい。
【００５１】
また、Ｌ字状ノズル６に対するロック部材７の横回動位置を選択的に設定することにより、操作レバー１の縦回動操作が不能状態に設定される。
【００５２】
すなわち、Ｌ字状ノズル６およびロック部材７に関して、
(61)横筒状部６ａと摘み片部７ａとが略直交する状態の横回動位置に設定した場合には、操作レバー１の後方への縦回動操作（＝通常のトリガー操作）が可能であり、
(62)この略直交状態の横回動位置以外に設定した場合には、操作レバー１の後方への縦回動操作ができない状態にロックされる。
【００５３】
これは、Ｌ字状ノズル６およびロック部材７が上記(61)の横回動位置に設定された場合、Ｌ字状ノズル６の上下方向凸状部６ｄの直下にロック部材７の上下方向凹状部７ｃが位置するからである（図２，図３，図６，図７参照）。
【００５４】
他方、それ以外の横回動位置にＬ字状ノズル６およびロック部材７が設定された場合には、Ｌ字状ノズル６の上下方向凸状部６ｄの直下にロック部材７の周方向凸状部７ｄが位置するため、利用者が操作レバー１の後方への縦回動操作を試みても、上下方向凸状部６ｄが周方向凸状部７ｄに当接してＬ字状ノズル６の下動が阻止されてしまう（図１，図４，図５参照）。
【００５５】
図１の場合、流出口６ｂが上記(51)の前向き状態に設定され、かつ、操作レバー１が非作動状態にロックされている。このとき、吐出弁（環凹状部４ａ，環凸状部８ｂ）および吸込弁（環状受け部３ｄ，ボール弁１２）はそれぞれ周知のように閉状態であり、ポンプ式製品は静止モードとなっている。
【００５６】
この静止モードのとき、下筒状部材８の弁作用筒状部８ｄの上端部分が環状弁部材１１の下面に密接し、かつ、当該下筒状部材の環凸状部８ｂがステム４の環凹状部４ａに密接している。
【００５７】
これによりハウジング３の孔部３ｃが外部空間域から遮断され、吐出弁（環凹状部４ａ，環凸状部８ｂ）が閉状態に設定される。また、容器側に対するステム４，上筒状部材５およびＬ字状ノズル６それぞれの静止モード位置が特定される。
【００５８】
ここで利用者が図１の操作レバー１を作動状態に設定するには、摘み片部７ａを左右いずれかの横方向に９０度ほど回動操作すればよい。
【００５９】
この横回動操作にともない、Ｌ字状ノズル６の上下方向凸状部６ｄの直下にロック部材７の上下方向凹状部７ｃが位置して、操作レバー１のロックが解除されてその後方への縦回動操作が可能、すなわち通常のトリガー操作に基づくＬ字状ノズル６の下方への移動が可能となる。
【００６０】
図２は、このロック解除後の操作レバー１に対するＥ方向への縦回動操作（トリガー操作）に基づく内容物放出状態であって、周知の弁作用により、貯留空間域Ａの収容済み内容物が内容物放出経路Ｂに沿った流れでＬ字状ノズル６の流出口６ｂから外部空間域へ放出される様子を示している。
【００６１】
ここで操作レバー１のトリガー操作にともない、
(71)切欠状部１ｆおよび横向き円柱状部６ｃの係合作用に基づいて、Ｌ字状ノズル６およびこれと連動する上筒状部材５およびステム４が下方に駆動され、
(72)このステム４の下動により貯留空間域Ａの容積が減少してそこでの内容物圧力が大きくなり、
(73)この大きな内容物圧力を上方向に受ける下筒状部材８がステム４に対して相対的に上方に位置し、すなわち吐出弁（環凹状部４ａ，環凸状部８ｂ）が開き、
(74)貯留空間域Ａの内容物が、内容物放出経路Ｂを通って流出口６ｂから外部空間域に放出される。
【００６２】
このとき、下筒状部材８は絶対的には下動しており、その弁作用筒状部８ｄの上端部分が環状弁部材１１から離間した状態になっている。また、ボール弁１２が下方への貯留空間域Ａの内容物圧力を受けるので、吸込弁（環状受け部３ｄ，ボール弁１２）は閉じたままである。
【００６３】
図３は、図２の内容物放出動作が終了し操作レバー１のトリガー操作が解除されたいわば直後の状態であって、容器本体９から貯留空間域Ａへの次回放出対象の内容物供給および容器本体内部の減圧防止用の外気供給の様子を示している。
【００６４】
この操作レバー１のトリガー操作解除に基づいて、
(81)ステム４，上筒状部材５およびＬ字状ノズル６の全体がコイルスプリング１３の弾性作用により上方向へ移動し、かつ、操作レバー１が、切欠状部１ｆおよび横向き円柱状部６ｃの係合作用によりＦ方向へ縦回動し、
(82)このステム４などの上動により、当該ステムと、ハウジング３の内周面と摩擦係合している下筒状部材８との間の吐出弁（環凹状部４ａ，環凸状部８ｂ）がそれまでの開状態から閉状態へと変化し、
(83)また、このステム４などの上動にともない貯留空間域Ａの容積が増加してそこでの内容物圧力、すなわちボール弁１２に作用する下方向への内容物圧力は減少し、
(84)この下方向への内容物圧力とボール弁１２の自重との合力よりも、当該ボール弁に対して上方向に作用する容器本体９の内容物圧力が大きくなることにより、当該ボール弁が上動して、吐出弁（環状受け部３ｄ，ボール弁１２）がそれまでの閉状態から開状態へと変化し、
(85)この吐出弁の開状態への移行により、容器本体９の内容物がチューブ１５などの内容物流入経路Ｃを通って貯留空間域Ａへ流入し、
(86)この貯留空間域Ａへの内容物流入による容器本体内部の圧力減少分をいわば補うための外気が孔部３ｃなどの外気流入経路Ｄを通って容器本体９に流入する。
【００６５】
そして、操作レバー１，ステム４，上筒状部材５，Ｌ字状ノズル６および下筒状部材８はそれぞれ前方向放出静止モード位置（図１参照）へ復帰する。復帰後における弁作用筒状部８ｄの上端部分は環状弁部材１１の下面部分に密接し、これにより孔部３ｃと外部空間域との間が遮断状態に設定される。
【００６６】
図４は、Ｌ字状ノズル６の内容物放出方向を「前」から「左右」に変えるための初期操作であって、静止モード位置の操作レバー１をトリガー操作方向とは逆の上方に縦回動させる様子を示している。
【００６７】
すなわち、図１の操作レバー１を図示Ｇ方向（時計方向）へ縦回動操作することにより、その開口部１ｃがＬ字状ノズル６の横筒状部６ａを通過して当該横筒状部の上方まで移動する途中の状態である。
【００６８】
図５は、この操作レバー１のＧ方向（図４参照）への縦回動操作を担保するための開口部１ｃおよび操作レバー通過対象の横筒状部６ａなどを上からみたときの形状関係を示している。なお、このときの操作レバー１は、その開口部１ｃの最前端部分１ｄが横筒状部６ａの流出口６ｂと略対向する状態の縦回動位置にある。
【００６９】
図６は、図１の操作レバー１を先ず最上位置までＧ方向に縦回動させ、その後、Ｌ字状ノズル６を前方向位置から横平面上の左方向（Ｌ字状ノズル６を上から見て反時計方向）に９０度横回動させた状態を示している。このＬ字状ノズル６の横回動操作は、例えば利用者が横筒状部６ａの外側面をそれぞれ把持する形でおこなわれる。ロック部材７の位置は図１のままである。
【００７０】
このＬ字状ノズル６の横回動操作のとき、当該Ｌ字状ノズルが上筒状部材５に対して横回動する。すなわち、上筒状部材５，ステム４および下筒状部材８はいわば一体化した状態となって、横回動しない。
【００７１】
なお、Ｌ字状ノズル６の横回動操作にともない、上筒状部材５，ステム４および下筒状部材８の全体が当該Ｌ字状ノズルとともに横回動するようにしてもよい。このとき、ステム４とコイルスプリング１３との間にすべりが生じる。
【００７２】
図６の操作レバー１は、その天井部後端部分１ｈがアーム部２ａの上端面２ｃに当接した状態に位置している。
【００７３】
また、図６のＬ字状ノズル６およびロック部材７は、上記(61)で述べたような上下方向凸状部６ｄの直下に上下方向凹状部７ｃが位置する関係にある。すなわち操作レバー１の内容物放出動作用の縦回動操作（＝通常のトリガー操作）が可能である。
【００７４】
図７は、図６の操作レバー１を下方に、その静止モード位置（左方向放出静止モードの位置）まで縦回動させた状態を示している。
【００７５】
このとき、
(91)操作レバー１の切欠状部１ｆの一方が、Ｌ字状ノズル６の横筒状部６ａの上側周面部分を跨ぐ形でこれに当接し、
(92)上述したようにＬ字状ノズル６の上下方向凸状部６ｄがロック部材７の上下方向凹状部７ｃに対向している。
【００７６】
すなわちＬ字状ノズル６は下方向に移動できる状態である。
操作レバー１の縦回動操作（トリガー操作）に応じて、図２の場合と同様に吐出弁（環凹状部４ａ，環凸状部８ｂ）が開き、貯留空間域Ａの内容物が内容物放出経路Ｂを通過して流出口６ｂから外部空間域に放出される。
【００７７】
この内容物放出方向は勿論、図２の前方向ではなく、これから横平面内で略９０度横回動した形の左方向（Ｌ字状ノズル６を上から見て反時計方向）である。
【００７８】
また、操作レバー１の縦回動操作（トリガー操作）の解除にともない、図３の場合と同じように、
(101)ステム４，上筒状部材５およびＬ字状ノズル６の全体がコイルスプリング１３の弾性作用により上方向へ復帰し、かつ、操作レバー１が切欠状部１ｆおよび横筒状部６ａの係合作用によりＦ方向へ縦回動復帰し、
(102)貯留空間域Ａには次回トリガー操作時の放出対象内容物が容器本体９から流入し（内容物流入経路Ｃ）、
(103)容器本体９には減圧防止用の外気が孔部３ｃから流入する（外気流入経路Ｄ）。
【００７９】
本発明が適用されるポンプ式製品，エアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００８０】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００８１】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００８２】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００８３】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００８４】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００８５】
高分子化合物としては、メチルセルロース，ゼラチン，デンプン，カゼイン，ヒドロキシエチルセルロース，キサンタンガム，カルボキシビニルポリマーなどを用いる。
【００８６】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００８７】
さらに、上記内容物以外の、懸濁剤，紫外線吸収剤，乳化剤，保湿剤，酸化防止剤、金属イオン封鎖剤なども用いることができる。
【００８８】
エアゾール式製品の内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００８９】
Ａ：次回放出対象内容物の貯留空間域
Ｂ：貯留空間域Ａから外部空間域への内容物放出経路（図２参照）
Ｃ：貯留空間域Ａへの内容物流入経路（図３参照）
Ｄ：外部空間域から容器本体内部への減圧防止用の外気流入経路（図３参照）
Ｅ：内容物放出動作をおこなうための操作レバーの縦回動操作方向（図２参照）
Ｆ：操作レバーの縦回動復帰方向（図３参照）
Ｇ：内容物放出方向を変化させる際の操作レバーの縦回動操作方向（図４参照）
ｗ１：操作レバーの開口部の横幅（図５参照）
ｗ２：Ｌ字状ノズルの横筒状部の横幅（図５参照）
【００９０】
１：縦回動タイプの操作レバー
１ａ：斜め操作部
１ｂ：天井部
１ｃ：前後方向の開口部
１ｄ：該開口部の最前端部分（最下端部分）
１ｅ：一対の側部
１ｆ：切欠状部
１ｇ：縦回動中心用の一対の孔部
１ｈ：天井部後端部分
２：操作レバー取付け部
２ａ：アーム部
２ｂ：一対の凸状部
２ｃ：アーム部の上端面
２ｄ：筒状基部
２ｅ：上向き環溝状部
２ｆ：上筒状部
２ｇ：内向き凸状部
【００９１】
３：ハウジング
３ａ：環鍔状部
３ｂ：起立筒状部
３ｃ：外気流入用の孔部
３ｄ：環状受け部（吸込弁）
４：ステム
４ａ：環凹状部（吐出弁）
５：内容物通過用の上筒状部材
５ａ：内容物通過用の溝状部
６：Ｌ字状ノズル
６ａ：横筒状部
６ｂ：内容物放出用の流出口
６ｃ：横向き円柱状部
６ｄ：上下方向凸状部
【００９２】
７：ロック部材
７ａ：摘み片部
７ｂ：下向き凸状部
７ｃ：一対の上下方向凹状部
７ｄ：一対の周方向凸状部
８：下筒状部材
８ａ：逆スカート部
８ｂ：環凸状部（吐出弁）
８ｃ：スカート部
８ｄ：弁作用筒状部（外気供給弁）
９：容器本体
９ａ：筒状首部
１０：ネジキャップ
１１：環状弁部材（外気供給弁）
１２：ボール弁（吸込弁）
１３：コイルスプリング
１４：環状シール部材
１５：チューブ
【図１】
0005649471.tif 000002
【図２】
0005649471.tif 000003
【図３】
0005649471.tif 000004
【図４】
0005649471.tif 000005
【図５】
0005649471.tif 000006
【図６】
0005649471.tif 000007
【図７】
0005649471.tif 000008